(57)【要約】【課題】魚の口に刺さった釣り針を容易に取り外すことの可能なラジオペンチ式の針外し器を提供する。【解決手段】第一ガイド部１３と第二ガイド部１４の間に釣り糸を入れ、第一可動部５と第二可動部９を魚の口に入れる。第一挟み板１５と第二挟み板１７の間に位置する軸部材１９が釣り針３３に当たったところで第一握り部３と第二握り部７を握る。第一挟み板１５と第二挟み板１７により釣り針３３を挟み、さらに第一握り部３と第二握り部７を握る力を強めると、第一挟み板１５と第二挟み板１７が釣り針３３を挟んだまま回転するので、魚の口から釣り針３３が容易に外れる。【選択図】図３
2011045369.tif 000002
【特許請求の範囲】
【請求項１】
第一握り部、孔部及び第一可動部を有する第一アームと、
第二握り部、軸部及び第二可動部を有し、第一アームの孔部に軸部が差し込まれ、孔部又は軸部を中心に回転可能に設けられる第二アームと、
第二可動部の第一可動部側に設けられる第二挟み板と、
第二挟み板に固定され、第二可動部の第二挟み板側に形成された収容孔に回転可能に収容される筒部材と、
第一可動部の第二可動部側に設けられる第一挟み板と、
第一挟み板に固定され、第一可動部の第一挟み板側に形成された収容穴に回転可能に収容されると共に、筒部材の径内側に延びる軸部材と、
軸部材の収容穴の底側の端部に形成された傾斜面と、収容穴の底側から軸部材側に突出する支柱の端部に形成された傾斜面とから構成され、軸部材と支柱とが軸方向に押圧されたとき、第一アーム及び第二アームの回転方向に対し略垂直な方向へ第一挟み板を回転させることの可能な回転機構と、
軸部材と支柱とが軸方向に押圧されたときの回転後の位置から、第一挟み板を第二挟み板と反対側に押圧する前の位置へ戻す向きに第一挟み板を付勢する弾性部材と、を備えた針外し器。
【請求項２】
第一可動部から第一アーム及び第二アームの回転方向と略垂直な方向へ突出し、回転可能な第一挟み板を収容する第一凹部を有する第一ガイド部と、
第二可動部から第一アーム及び第二アームの回転方向と略垂直な方向へ突出し、回転可能な第二挟み板を収容する第二凹部を有する第二ガイド部と、を備えた請求項１に記載の針外し器。
【請求項３】
第一握り部、孔部及び第一可動部を有する第一アームと、
第二握り部、軸部及び第二可動部を有し、第一アームの孔部に軸部が差し込まれ、孔部又は軸部を中心に回転可能に設けられる第二アームと、
第二可動部の第一可動部側に設けられる第二挟み板と、
第二挟み板に固定され、第二可動部の第二挟み板側に形成された収容孔に回転可能に収容される筒部材と、
第一可動部の第二可動部側に設けられる第一挟み板と、
第一挟み板に固定され、第一可動部の第一挟み板側に形成された収容穴に回転可能に収容されると共に、筒部材の径内側に延びる軸部材と、
第一アーム又は第二アームのいずれか一方に設けられるレバー、及びこのレバーと第一挟み板又は第二挟み板とを接続する接続部材から構成され、レバーの操作により接続部材に張力がかけられたとき、第一アーム及び第二アームの回転方向に対し略垂直な方向へ第一挟み板又は第二挟み板を回転させることの可能な回転機構と、
軸部材と支柱とが軸方向に押圧されたときの回転後の位置から、第一挟み板を第二挟み板と反対側に押圧する前の位置へ戻す向きに第一挟み板を付勢する弾性部材と、を備えた針外し器。
【請求項４】
第一握り部、孔部及び第一可動部を有する第一アームと、
第二握り部、軸部及び第二可動部を有し、第一アームの孔部に軸部が差し込まれ、孔部又は軸部を中心に回転可能に設けられる第二アームと、
第二可動部の第一可動部側に設けられる第二挟み板と、
第二挟み板に固定され、第二可動部の第二挟み板側に形成された収容孔に回転可能に収容される筒部材と、
第一可動部の第二可動部側に設けられる第一挟み板と、
第一挟み板に固定され、第一可動部の第一挟み板側に形成された収容穴に回転可能に収容されると共に、筒部材の径内側に延びる軸部材と、
第一握り部と第二握り部との間に形成されるスライド装置、及びこのスライド機構と第一挟み板又は第二挟み板とを接続する接続部材から構成され、第一アーム及び第二アームの回転方向に対し略垂直な方向へ第一挟み板又は第二挟み板を回転させることの可能な回転機構と、
軸押し部材が支柱側に押圧されたときの回転後の位置から、軸押し部材が支柱側に押圧される前の位置へ戻す向きに軸押し部材を付勢する弾性部材と、を備えた針外し器。
【発明の詳細な説明】
【技術分野】
【０００１】
本発明は魚の口に刺さった釣り針の取り外しに用いられる針外し器に関する。
【背景技術】
【０００２】
従来より、魚釣りに用いられ、魚の口に刺さった釣り針を取り外すことに用いられるラジオペンチ型の針外し器が公知である（特許文献１−３参照）。
ラジオペンチ型の針外し器は、魚の口に刺さった釣り針を強固に挟むことが可能であるので、釣り針を取り外すのに好適である。
【先行技術文献】
【特許文献】
【０００３】
【特許文献１】特開２００５−０５８１６３号公報
【特許文献２】特開２００４−３２９０４１号公報
【特許文献３】特開２００１−３４６４９１号公報
【発明の開示】
【発明が解決しようとする課題】
【０００４】
しかし、特許文献１−３に記載の針外し器は、魚の口の中で針を回転させることができないので、魚の口の奥に刺さった釣り針を取り外すことが困難であった。
本発明は上記課題に鑑みてなされたものであり、その目的は、魚の口に刺さった釣り針を容易に取り外すことの可能な針外し器を提供することにある。
【課題を解決するための手段】
【０００５】
上記課題を解決するため、請求項１に係る針外し器は、第一握り部、孔部及び第一可動部を有する第一アームと、
第二握り部、軸部及び第二可動部を有し、第一アームの孔部に軸部が差し込まれ、孔部又は軸部を中心に回転可能に設けられる第二アームと、
第二可動部の第一可動部側に設けられる第二挟み板と、
第二挟み板に固定され、第二可動部の第二挟み板側に形成された収容孔に回転可能に収容される筒部材と、
第一可動部の第二可動部側に設けられる第一挟み板と、
第一挟み板に固定され、第一可動部の第一挟み板側に形成された収容穴に回転可能に収容されると共に、筒部材の径内側に延びる軸部材と、
軸部材の収容穴の底側の端部に形成された傾斜面、及び収容穴の底側から軸部材側に突出する支柱の端部に形成された傾斜面から構成され、軸部材と支柱とが軸方向に押圧されたとき、第一アーム及び第二アームの回転方向に対し略垂直な方向へ第一挟み板を回転させることの可能な回転機構と、
軸部材と支柱とが軸方向に押圧されたときの回転後の位置から、軸部材と支柱とが軸方向に押圧される前の位置へ軸部材を戻す弾性部材と、を備える。
請求項２に係る針外し器は、第一可動部から第一アーム及び第二アームの回転方向と略垂直な方向へ突出し、回転可能な第一挟み板を収容する第一凹部を有する第一ガイド部と、
第二可動部から第一アーム及び第二アームの回転方向と略垂直な方向へ突出し、回転可能な第二挟み板を収容する第二凹部を有する第二ガイド部と、をさらに備える。
【０００６】
請求項３に係る針外し器は、第一握り部、孔部及び第一可動部を有する第一アームと、
第二握り部、軸部及び第二可動部を有し、第一アームの孔部に軸部が差し込まれ、孔部又は軸部を中心に回転可能に設けられる第二アームと、
第二可動部の第一可動部側に設けられる第二挟み板と、
第二挟み板に固定され、第二可動部の第二挟み板側に形成された収容孔に回転可能に収容される筒部材と、
第一可動部の第二可動部側に設けられる第一挟み板と、
第一挟み板に固定され、第一可動部の第一挟み板側に形成された収容穴に回転可能に収容されると共に、筒部材の径内側に延びる軸部材と、
第一アーム又は第二アームのいずれか一方に設けられるレバー、及びこのレバーと第一挟み板又は第二挟み板とを接続する接続部材から構成され、レバーにより接続部材に張力がかけられたとき、第一アーム及び第二アームの回転方向に対し略垂直な方向へ第一挟み板又は第二挟み板を回転させることの可能な回転機構と、
軸部材と支柱とが軸方向に押圧されたときの回転後の位置から、第一挟み板を第二挟み板と反対側に押圧する前の位置へ戻す向きに第一挟み板を付勢する弾性部材と、を備える。
【０００７】
請求項４に係る針外し器は、第一握り部、孔部及び第一可動部を有する第一アームと、
第二握り部、軸部及び第二可動部を有し、第一アームの孔部に軸部が差し込まれ、孔部又は軸部を中心に回転可能に設けられる第二アームと、
第二可動部の第一可動部側に設けられる第二挟み板と、
第二挟み板に固定され、第二可動部の第二挟み板側に形成された収容孔に回転可能に収容される筒部材と、
第一可動部の第二可動部側に設けられる第一挟み板と、
第一挟み板に固定され、第一可動部の第一挟み板側に形成された収容穴に回転可能に収容されると共に、筒部材の径内側に延びる軸部材と、
第一握り部と第二握り部との間に形成されるスライド装置、及びこのスライド機構と第一挟み板又は第二挟み板とを接続する接続部材から構成され、第一アーム及び第二アームの回転方向に対し略垂直な方向へ第一挟み板又は第二挟み板を回転させることの可能な回転機構と、
軸押し部材が支柱側に押圧されたときの回転後の位置から、軸押し部材が支柱側に押圧される前の位置へ戻す向きに軸押し部材を付勢する弾性部材と、を備える。
【図面の簡単な説明】
【０００８】
【図１】本発明の第一実施形態の針外し器を示す平面図。
【図２】図１のＩＩ方向矢視図。
【図３】図１のＩＩＩ部分の断面図。
【図４】図３のＩＶ−ＩＶ方向の断面図。
【図５】本発明の第一実施形態の針外し器の使用状態を示す模式図。
【図６】本発明の第一実施形態の針外し器の使用状態を示す模式図。
【図７】本発明の第二実施形態の針外し器を示す要部断面。
【図８】本発明の第三実施形態の針外し器を示す要部断面。
【図９】本発明の第四実施形態の針外し器を示す平面図。
【図１０】本発明の第五実施形態の針外し器を示す平面図。
【図１１】図１０のＸＩ方向矢視図。
【図１２】図１０のＸＩＩ部分の断面図。
【図１３】図１０のＸＩＩＩ部分の断面図。
【図１４】図１０のＸＩＶ−ＸＩＶ方向の断面図。
【図１５】本発明の第六実施形態の針外し器の要部断面図。
【図１６】本発明の第七実施形態の針外し器を示す平面図。
【図１７】図１６のＸＶＩＩ方向矢視図。
【図１８】本発明の第八実施形態の針外し器を示す平面図。
【発明を実施するための形態】
【０００９】
以下、本発明の実施形態を図面に基づいて説明する。第１〜第４実施形態が請求項１，２に対応し、第５、第６実施形態が請求項３に対応し、第７、第８実施形態が請求項４に対応している。
（第一実施形態）
本発明の第一実施形態による針外し器を図１〜図６に示す。本実施形態の針外し器１は、魚釣りに用いられ、魚の口に刺さった釣り針の取り外しに用いられる針外し器１である。
図１に示すように、第一アーム２は、第一握り部３と孔部４と第一可動部５とを有する。第二アーム６は、第二握り部７と軸部８と第二可動部９とを有する。第一アーム２の孔部４に第二アーム６の軸部８が差し込まれ、第一アーム２と第二アーム６とは交差して設けられている。第一アーム２と第二アーム６とは軸部８または孔部４を中心に相対回転可能である。
第一アーム２と第二アーム６との間に板ばね１０が設けられている。板ばね１０は、第一握り部３にビス１１により取り付けられ、第一可動部５と第二可動部９との間の距離を広げる方向へ第一アーム２及び第二アーム６に弾性力を印加している。
また、第一アーム２と第二アーム６との相対回転角度を制限することで、第一可動部５と第二可動部９との間の開き幅を一定の大きさに制限するストッパ１２が第一アーム２の孔部４の径外側に設けられている。
【００１０】
図２に示すように、第一可動部５と第二可動部９にはそれぞれ、第一アーム２と第二アーム６とが回転する方向と垂直に略半円状の第一ガイド部１３と第二ガイド部１４が設けられている。図３及び図４に示すように、第一ガイド部１３の第二ガイド部１４側には、第一挟み板１５が収容される第一凹部１６が形成されている。第二ガイド部１４の第一ガイド部１３側には、第二挟み板１７が収容される第二凹部１８が形成されている。
第一挟み板１５は、この第一挟み板１５の板厚方向に貫通する円柱状の軸部材１９に固定されている。軸部材１９は第一凹部１６に設けられた円筒状の収容穴２０に回転可能に収容されている。収容穴２０の底側には、軸部材１９と略同径の円柱状の支柱２１が軸部材１９と略同軸に設けられている。この支柱２１の軸部材１９側の端部には、螺旋状に傾斜する傾斜面２２が設けられている。一方、軸部材１９の支柱２１側の端部にも、螺旋状に傾斜する傾斜面２３が設けられている。支柱２１の傾斜面２２と軸部材１９の傾斜面２３とは、軸部材１９と支柱２１とが軸方向に押圧されたとき、第一アーム２及び第二アーム６の回転方向に対し略垂直な方向へ第一挟み板１５を回転させる回転機構を構成している。この回転機構により第一挟み板１５は、約９０°〜２００°、好ましくは１８０°程度回転可能である。
なお、第一凹部１６には、第一挟み板１５と摺接する第一ガイド凸部２４が設けられている。第一ガイド凸部２４は、第一挟み板１５の回転前の位置から回転後の位置にかけて突出量が次第に小さくなっている。
軸部材１９の径外側には、弾性部材としてのトーションバネ２５が設けられている。トーションバネ２５は、第一挟み板１５及び軸部材１９を回転後の位置から回転前の位置へ戻す方向に付勢している。
第二挟み板１７は、この第二挟み板１７の板厚方向に設けられる円筒状の筒部材２６に固定されている。筒部材２６は、第二凹部１８に設けられた円筒状の収容孔２７に回転可能に収容されている。筒部材２６の第一挟み板１５と反対側にはキャップ２８が取り付けられている。キャップ２８は、傘部２９と筒部３０とを有している。傘部２９の外径は筒部の外径より大きく形成されている。筒部３０の外壁は筒部材２６の内壁に固定されている。第二挟み板１７は、キャップ２８により第二凹部１８から外れることが防止される。
筒部材２６の径外側には、トーションバネ３１が設けられている。このトーションバネ３１は、第二挟み板１７及び筒部材２６を回転後の位置から回転前の位置へ戻す方向に付勢している。
第一挟み板１５から第二可動部９側に延びる軸部材１９は、筒部材２６の径内側に挿入されている。キャップ２８の筒部３０と軸部材１９のキャップ２８側の端部との間に摺動板３２を挟んでスプリング３３が設けられている。このスプリング３３は、軸部材１９の径外側のトーションバネ２５より弱い力で軸部材１９を第一可動部５側に押圧している。
なお、第二凹部１８には、第二挟み板１７と摺接する第二ガイド凸部３４が設けられている。第二ガイド凸部３４は、第二挟み板１７の回転前の位置から回転後の位置にかけて同じ突出量である。
【００１１】
針外し器１の使用方法を説明する。
先ず、魚の口に刺さった釣り針３５から延びる釣り糸３６を第一ガイド部１３と第二ガイド部１４との間に入れる。そのまま図５に示すように、第一可動部５と第二可動部９を魚の口に入れる。第一挟み板１５と第二挟み板１７との間に位置する軸部材１９が釣り針に当接したら、第一握り部３と第二握り部７とを握る。これにより、第一挟み板１５と第二挟み板１７とで釣り針３５を挟む。さらに第一握り部３と第二握り部７とを握る力Ｆ１が、軸部材１９側のトーションバネ２５の力Ｆ２及び筒部材２６側のトーションバネ３１の力Ｆ３と、スプリング３３の力Ｆ４との差より大きくなると（Ｆ１＞Ｆ２＋Ｆ３−Ｆ４），第一挟み板１５と第二挟み板１７とが回転を始める。すると図６に示すように、魚の肉が第一可動部５と第二可動部９とに当たった状態で、第一挟み板１５と第二挟み板１７に挟まれた釣り針３５が回転し、魚の肉から釣り針３５が外れる。
このまま第一可動部５と第二可動部９を魚の口から抜けば、釣り針３５が外れる。なお、第一挟み板１５と第二挟み板１７とで釣り針３５を挟む力を強くするため、軸部材１９側のトーションバネ２５の力Ｆ２を大きくすることが望ましい。
【００１２】
（第二実施形態）
本発明の第二実施形態による針外し器の要部断面図を図７に示す。本実施形態の針外し器は、第一凹部に設けられた円筒状の収容穴４０が第一可動部５を貫通している。収容穴４０の底側には第一キャップ４１が固定されている。この第一キャップ４１に支柱２１が設けられている。
支柱２１の軸部材１９側の端部の傾斜面２２と、軸部材の支柱側の端部の傾斜面２３により回転機構が構成される。
弾性部材としてのトーションバネ４２は、支柱２１の径外側と軸部材１９の径外側に設けられている。トーションバネ４２は、一端が軸部材１９に係止され、他端が第一可動部５の第一キャップ４１側に設けられた係止穴に係止され、第一挟み板１５及び軸部材１９を回転後の位置から回転前の位置へ戻す方向に付勢している。トーションバネ４２は第一キャップ４１により脱落が防止される。
【００１３】
（第三実施形態）
本発明の第三実施形態による針外し器を図８に示す。本実施形態では、軸部材１９の第一キャップ４１側の外径が第１、第２実施形態のものよりも大きく形成されている。つまり、軸部材１９には、第一挟み板１５の板厚方向の前後で段差が形成されている。軸部材１９に対応し、支柱２１の外径も大きく形成されている。したがって、軸部材１９の支柱２１側の端部に設けられた螺旋状の傾斜面２３、及び支柱２１の軸部材１９側の端部に設けられた螺旋状の傾斜面２２を第１、第２実施形態のものと比べ、容易に形成することが可能になる。
【００１４】
（第四実施形態）
本発明の第四実施形態による針外し器を図９に示す。本実施形態の針外し器は、第一可動部５０及び第二可動部５１が第一実施形態のものより短い。かつ、第一アーム５２及び第二アーム５３の特に孔部５４及び軸部５５は第一実施形態のものより細く形成されている。このような構成において、第一アーム及び第二アームの孔部及び軸部、或いは、第一握り部５６及び第二握り部５７まで魚の口の中に挿入することが可能になり、魚の口に刺さった釣り針を取り外すことができる。
【００１５】
（第五実施形態）
本発明の第五実施形態による針外し器を図１０〜図１４に示す。本実施形態の針外し器では、回転機構が第二アーム６の第二握り部７にレバー収容穴８０が設けられている。このレバー収容穴８０にレバー８１が軸８２を中心に回転可能に設けられている。レバー８１と第一アーム７４とは、接続部材としてのワイヤーケーブル７５により接続されている。このため、第一握り部と第二握り部を右手で掴んだまま、例えば親指でレバー８１を操作し、ワイヤーケーブル７５に張力をかけると、第一挟み板を回転させることができる。レバーの操作を辞めると、レバー８１は、ばね８３により元の位置に戻される。また、第一挟み板７４もトーションバネ２５によって元の位置に戻され、第二挟み板１７もトーションバネ３１によって元の位置に戻される。
なお、左利き用の利用者のために第一アーム２の第一握り部３にレバーを設けてもよい。
第一挟み板７４と第二挟み板１７周りの構成は、図１３及び図１４に示す通りであるので説明を省略する。
【００１６】
（第六実施形態）
本発明の第六五実施形態による針外し器を図１５に示す。本実施形態では、レバー８４がレバー収容穴８５内をスライド可能に設けられている。このような構成においても、レバー８４を操作し、ワイヤーケーブル７５に張力をかけると、第一挟み板を回転させることができる。
【００１７】
（第七実施形態）
本発明の第七実施形態による針外し器を図１６及び図１７に示す。本実施形態の針外し器は、第一アーム６０の第一握り部６１の端部に孔部６２が設けられ、第二アーム６３の第二握り部６４の端部に軸部６５が設けられている。
第一アームと第二アームとの間にコイルスプリング６６が設けられている。このコイルスプリングは、第一アームと第二アームとの間の距離を広げる方向へ弾性力を印加している。
また、第一アームと第二アームとの相対回転角度を制限することで、第一可動部と第二可動部との間の開き幅を一定の大きさに制限するストッパ６７，６８が設けられている。
第一アームの第二アーム側の外壁に円柱状の支柱６９が設けられている。この支柱と同軸に円柱状の軸押し部材７０が設けられている。軸押し部材は、第二アームに設けられた孔７１に回転可能に支持されている。
支柱の軸部材側の端部には、螺旋状に傾斜する傾斜面７２が設けられている。一方、軸押し部材の支柱側の端部にも、螺旋状に傾斜する傾斜面７３が設けられている。支柱の傾斜面と軸押し部材の傾斜面とは、軸押し部材が支柱側に押圧されたとき、軸押し部材を回転させる。軸押し部材と第一挟み板７４を接続部材としてのワイヤーケーブル７５が接続している。
本実施形態では、支柱の傾斜面７２と軸押し部材傾斜面７３により、特許請求の範囲に記載のスライド装置が構成され、このスライド装置とワイヤーケーブル７５により回転機構が構成される。回転機構は、軸押し部材の回転とともに第一挟み板を回転させることが可能である。
支柱と軸押し部材の径外側には、弾性部材としてのトーションバネ７６が設けられている。トーションバネは、軸部材を回転後の位置から回転前の位置へ戻す方向に付勢している。
トーションバネの径外側には筒部材７７が設けられている。筒部材は第一アームに固定されている。筒部材は、開口側が小径に形成され、トーションバネおよび軸押し部材が脱落すること防止している。
軸押し部材の支柱と反対側にはキャップ７８が設けられ、軸押し部材の回転を容易にしている。
本実施形態では、回転機構を構成する傾斜面を容易に形成することが可能となる。
【００１８】
（第八実施形態）
本発明の第八実施形態による針外し器を図１８に示す。本実施形態では、第一握り部６１の第二握り部６４側にスライド部９０が設けられ、第二握り部６４の第一握り部６１側にスライド押し部９１が設けられている。第一握り部と第二握り部を握ると、スライド押し部９１によりスライド部９０がスライドし、ワイヤーケーブル７５により第一挟み板７５が回転する。
本実施形態では、スライド部９０とスライド押し部９１により、特許請求の範囲に記載のスライド装置が構成され、このスライド装置とワイヤーケーブル７５により回転機構が構成される。
【符号の説明】
【００１９】
１：針外し器
２：第一アーム
３：第一握り部
４：孔部
５：第一可動部
６：第二アーム
７：第二握り部
８：軸部
９：第二可動部
１０：板ばね
１１：ビス
１２：ストッパ
１３：第一ガイド部
１４：第二ガイド部
１５：第一挟み板
１６：第一凹部
１７：第二挟み板
１８：第二凹部
１９：軸部材
２０：収容穴
２１：支柱
２２：傾斜面
２３：傾斜面
２４：第一ガイド凸部
２５：トーションバネ
２６：筒部材
２７：収容孔
２８：キャップ
２９：傘部
３０：筒部
３１：ゴム球
３２：第二ガイド凸部
３３：釣り針
３４：釣り糸
【図１】
2011045369.tif 000003
【図２】
2011045369.tif 000004
【図３】
2011045369.tif 000005
【図４】
2011045369.tif 000006
【図５】
2011045369.tif 000007
【図６】
2011045369.tif 000008
【図７】
2011045369.tif 000009
【図８】
2011045369.tif 000010
【図９】
2011045369.tif 000011
【図１０】
2011045369.tif 000012
【図１１】
2011045369.tif 000013
【図１２】
2011045369.tif 000014
【図１３】
2011045369.tif 000015
【図１４】
2011045369.tif 000016
【図１５】
2011045369.tif 000017
【図１６】
2011045369.tif 000018
【図１７】
2011045369.tif 000019
【図１８】
2011045369.tif 000020